(57)【要約】      （修正有）【課題】外部から気付かれることなく少なくとも２回分の尿を貯留し、トイレ等に簡単に廃棄することができるうえ、装着や脱着が簡単で、水洗いによって繰り返し使用することができる排尿器付パンツを提供する。【解決手段】陰茎が突出する穴若しくは陰唇が露出する穴４を設けたパンツ３と、その穴４の周縁に接合された扁平で柔軟な長尺の袋とじ部材１０とを備え、袋とじ部材１０は、穴４の周縁に接合された一方の開口端が陰茎を挿入する挿入部若しくは陰唇が当接する当接部を形成し、他方の開口端は、該一方の開口端から流入した尿を排出させるドレインが形成される。【選択図】図１
0003215964.tif 000002
【実用新案登録請求の範囲】
【請求項１】
陰茎が突出する穴若しくは陰唇が露出する穴を設けたパンツと、前記穴の周縁に接合された扁平で柔軟な長尺の袋とじ部材とを備え、
前記袋とじ部材は、前記穴の周縁に接合された一方の開口端が前記陰茎を挿入する挿入部若しくは前記陰唇が当接する当接部を形成し、他方の開口端は、該一方の開口端から流入した尿を排出させるドレインが形成されたことを特徴とする排尿器付パンツ。
【請求項２】
前記前記袋とじ部材は、所定の長さの広幅な部分と、所定の長さの狭幅な部分とが連接されたものであって、
前記挿入部若しくは前記当接部が形成された前記広幅な部分は、内部に尿を貯留する尿受部であり、
前記ドレインが形成された前記狭幅な部分は、前記尿受部に貯留された尿を該ドレインまで誘導する尿排出路であることを特徴とする請求項１記載の排尿器付パンツ。
【請求項３】
前記尿受部は、折り曲げられた前記尿排出路と係合する係止手段を有することを特徴とする請求項２記載の排尿器付パンツ。
【請求項４】
前記尿受部は、少なくとも、７０ｍｍの幅と４００ｍｍの長さを有することを特徴とする請求項２記載の排尿器付パンツ。
【考案の詳細な説明】
【技術分野】
【０００１】
本考案は、外部から気付かれることなく任意の場所で排尿し、貯留された尿をトイレ等に簡単な操作で廃棄することができる排尿器付きパンツに関する。
【背景技術】
【０００２】
交通事故や病気障害、あるいは高齢化等によって尿失禁となった人向けに、パンツタイプやパッドタイプなどの大人用紙おむつが市販されている。しかしながら、歩行や仕事が普通にできる人にとって、常時紙おむつをあてがうことは不快感があるうえ、着脱が面倒である。また、使用後の紙おむつを処分することは煩わしさを伴うことから、それにかわる排尿器具が提案されている。
例えば、紙おむつに排尿袋を着脱自在に取り付けて、排尿と排便とを分離することにより、紙おむつ使用によるコスト高を回避する方法（特許文献１参照）、ペニス根部に装着するための輪ゴムを上口に取り付け、中間部に尿の逆流を阻止する線状の接着部を形成した透明フィルムによる扁平な筒状の袋体と、その袋体を太ももに取り付ける当て具とを有する男性用漏出尿受け具（特許文献２参照）、人体の下半身に締付けて固定する紐が両側に取り付けられた環状の固定片と、その固定片に磁力で固定される環状の着脱片とを有し、着脱片の穴に挿通した排尿袋の開口縁を着脱片にあてがい、それを固定片に磁力で結合した後、排尿袋にペニスを挿入する簡易排尿袋装置（特許文献３参照）などがある。
しかしながら、装着による痛みがあったり、装着に手間がかかったりするので、下半身に着用するパンツに取り付け、装着感に優れ、かつ装着者の身動きを制限せず、装着および交換が比較的簡易にできるものが求められている。そこで、ペニスが突出する穴を設け、下半身に着用される着用部と、着用部の穴の周囲にファスナで接合され、底部に吸水性部材を取り付けた袋体とを有する男性用吸水物品（特許文献４参照）が提案されている。
【先行技術文献】
【特許文献】
【０００３】
【特許文献１】実開平４−２７９０９号公報
【特許文献２】登録実用新案第３０２５０１９号公報
【特許文献３】特開平１０−３１４２０４号公報
【特許文献４】特開２００３−１１１７８８号公報
【考案の概要】
【考案が解決しようとする課題】
【０００４】
しかしながら、健常者であっても長時間、交通渋滞に巻き込まれることがあり、また交通整理や警護等のために決められた場所を長時間離れることが出来ないことがある。そのような場合に、上記方法を適用しても貯留可能な容量が一回分程度と限られているうえ、使い捨ての器具や貯留された尿を廃棄する際の始末が容易ではない。
本考案は、かかる事情に鑑み、外部から気付かれることなく少なくとも２回分の尿を貯留し、トイレ等に簡単に廃棄することができるうえ、装着や脱着が簡単で、水洗いによって繰り返し使用することができる排尿器付パンツを提供することを目的とする。
【課題を解決するための手段】
【０００５】
本考案の排尿器付パンツは、陰茎が突出する穴若しくは陰唇が露出する穴を設けたパンツと、前記穴の周縁に接合された扁平で柔軟な長尺の袋とじ部材とを備え、前記袋とじ部材は、前記穴の周縁に接合された一方の開口端が前記陰茎を挿入する挿入部若しくは前記陰唇が当接する当接部を形成し、他方の開口端は、該一方の開口端から流入した尿を排出させるドレインが形成されたことを特徴とする。
このように、パンツの前面に設けた穴の周縁に扁平で柔軟な長尺の袋とじ部材が逢着又は接着によって接合されていれば、袋とじ部材の開口端から尿が流入して貯留されてもそのまま維持することができる。
その場合、前記前記袋とじ部材は、所定の長さの広幅な部分と、所定の長さの狭幅な部分とが連接されたものであって、前記挿入部若しくは前記当接部が形成された前記広幅な部分は、内部に尿を貯留する尿受部であり、前記ドレインが形成された前記狭幅な部分は、上記尿受部に貯留された尿を該ドレインまで誘導する尿排出路である排尿器付パンツとすることができる。
このように、尿受部に尿排水路が連接されていると、ズボンの裾をまくり上げることにより、尿を外部に廃棄することができる。
そして上記尿受部は、折り曲げられた上記尿排出路と係合する係止手段を有することにすれば、ズボンが短い場合でも、外部から見えないようにすることができる。
なお、その係止手段は、雌雄のホック又は雌雄のファスナとしてもよい。
また、上記尿受部は、少なくとも、７０ｍｍの幅と４００ｍｍの長さを有することにすれば、２回分の尿を余裕を持って貯留することができる。
【考案の効果】
【０００６】
本考案の排尿器付パンツによれば、外部から気付かれることなく少なくとも２回排尿し、その尿を任意のトイレに簡単に廃棄することができるうえ、装着や脱着が簡単でで、水洗いすれば繰り返し使用することができる。
【図面の簡単な説明】
【０００７】
【図１】図１は、第１実施形態の排尿器付パンツの一例を示す図である。
【図２】図２は、第１実施形態の排尿器付パンツの陰茎の挿入部の一例を示す図である。
【図３】図３は、雌雄のホックを取り付けた例を示す図である。
【図４】図４は、雌雄のファスナを取り付けた例を示す図である。
【図５】図５は、第２実施形態の排尿器付パンツの一例を示す図である。
【図６】図６は、尿を貯留する袋とじ部材の一例を示す図である。
【図７】図７は、第２実施形態の排尿器付パンツの陰唇の当接部の一例を示す図である。
【考案を実施するための形態】
【０００８】
以下に、本考案の実施形態について図に基づいて説明する。
［第１実施形態］
第１実施形態は、主として男性が着用する排尿器付パンツである。
図１は、第１実施形態の排尿器付パンツの一例を示す図である。
図１に示す排尿器付パンツ１は、ボクサーあるいはトランクスタイプの一般的な男子用のパンツ３前面に陰茎が突出する丸穴４を設け、その丸穴４の周囲に扁平で柔軟な長尺の袋とじ部材１０を接合したものである。
袋とじ部材１０は、樹脂製のフィルムを２枚貼り合わせて袋とじしたものであり、尿受部１１となる広幅な部分と、尿排出路１２となる狭幅な部分とが連接されている。
尿受部１１の開口端は、パンツ３内側の丸穴４の辺縁に円形に接合されることにより、陰茎を挿入する挿入部１５が形成され、尿受部１１に流入した尿は尿排出路１２へと誘導される。
尿排出路１２の開口端は、ドレイン１３が設置されており、ドレインコックを開くことにより、尿排出路１２に誘導された尿を外部に廃棄することができる。
ここで、尿受部１１が、幅８０ｍｍ程度、長さ４００ｍｍ程度の扁平な貯留空間を有する場合には、約８００ｃｃの尿を貯留することができ、幅５０ｍｍ程度、長さ３００ｍｍ程度の場合には、約３２０ｃｃの尿を貯留することができる。
また、尿排出路１２が、幅３０ｍｍ程度、長さ２５０ｍｍ程度の扁平な空間を有する場合には、約７０ｃｃの尿をドレインに誘導することができる。
従って、２回分の尿（概ね４００ｃｃ程度）を貯留するには、少なくとも、５０ｍｍ程度の幅と３００ｍｍ程度の長さの尿受部１１と、少なくとも、３０ｍｍ程度の幅と２５０ｍｍ程度の長さの尿排出路１２と、を備えればよいが、安全性を見込んで、尿受部１１は、少なくとも、７０ｍｍの幅と４００ｍｍの長さとを備え、約６００ｃｃ程度の尿を貯留できるようにすることが好ましい。その場合、尿受部１１の開口端に約７００ｇ重程度の力が加わるが、開口端は、パンツ３に逢着又は接着されて強固に固定されているので、十分耐えることができる。また、パンツ３も、たとえばゴムを二重にするなどして腰にしっかりと固定されていれば、ずり落ちる心配はないし、ズボンのバンドで締め付ければ、さらに安心である。
なお、本実施形態の尿受部１１は、７０ｍｍの幅と４００ｍｍの長さとを備え、尿排出路１２は、３０ｍｍの幅と２５０ｍｍの長さとを備えているが、ここで示す数値に限定する必要はない。
本実施形態の袋とじ部材１０は、樹脂製のフィルムを２枚貼り合わせて形成しているが、樹脂製のフィルムを筒状に成形したものを用いてもよい。
【０００９】
図２は、第１実施形態の排尿器付パンツの陰茎の挿入部の一例を示す図である。
図２に示す排尿器付パンツ１は男子用のパンツ３の前面を裏側から見た概略図で、股の上に、陰茎が突出する丸穴４があり、その丸穴４の周囲に袋とじ部材１０の開口端を折り込み、その上に円盤状の布又はプラスチック部材を重ね合わせて、パンツと逢着又は接着して接合することにより、陰茎の挿入部１５が形成されている。
なお、挿入部１５は、説明の都合上円形に図示されているが、挿入部１５自体は柔軟な部材で形成されているので、実際は、潰れた形状をしている。従って、排尿器付パンツ１を着用する際に、挿入部１５を拡げて陰茎を挿入する。
【００１０】
図３及び図４は、尿受部及び尿排出路に取り付けた係止手段の一例を示す図であり、図３は雌雄のホックを取り付けた例、図４は雌雄のファスナを取り付けた例である。
図３及び図４に示すように、袋とじ部材１０は、広幅の尿受部１１と狭幅の尿排出路１２とが連接されている。そして、尿受部１１には２か所、雌ホック１６ｂあるいは雌ファスナ１７ｂが取り付けられている。また、尿排出路１２にはドレイン１３の近傍に１か所、雄ホック１６ａあるいは雄ファスナ１７ａが取り付けられている。
排尿器付パンツ１は、袋とじ部材１０を含め、ズボンを履くことにより隠れるので、外部から気付かれることはない。しかし、ズボンが短い場合や裾をまくって作業する場合等は、尿排出路１２が見えてしまう場合がある。そこで、尿排出路１２を折り曲げて、ドレイン１３近傍の雄ホック１６ａあるいは雄ファスナ１７ａを、尿受部１１の雌ホック１６ｂあるいは雌ファスナ１７ｂに係合させることにより、外部から見える部分を隠すことができる。
ここでは、係止手段として、ホック及びファスナの例を示したが、尿排出路１２を輪ゴムや紐で尿受部１１に係止してもよい。
【００１１】
［第２実施形態］
第２実施形態は、主として女性が用いる排尿器付パンツであり、第１実施形態と比べると、パンツに設けた穴の形状や、袋とじ部材の形状や長さが相違している。
図５は、第２実施形態の排尿器付パンツの一例を示す図であり、図６は尿を貯留する袋とじ部材の一例を示す図である。
図５に示す排尿器付パンツ２は、ズロース、ショーツ、ブルマなどの女子用のパンツ３前面に陰唇が露出する程度の楕円形もしくは矩形の穴５を設け、その穴５の周囲に扁平で柔軟な長尺の袋とじ部材１０を接合したものである。
図５及び図６に示す袋とじ部材１０は、樹脂製のフィルムを２枚貼り合わせて袋とじしたものであり、尿を貯留する広幅な尿受部１１の先端に、コックを開くと尿受部１１内の尿を廃棄できるドレイン１３が設置されている。そして、尿受部１１の開口端は、パンツ３内側の穴５の辺縁に接合され、パンツ３を着用したときに陰唇が当接する当接部１８が形成されている。
尿受部１１の大きさは、２回分の尿が余裕を持って貯留できるように、少なくとも、７０ｍｍの幅と４００ｍｍの長さとを備えることが好ましい。その場合、尿受部１１の開口端に約７００ｇ重程度の力が加わるが、開口端は、パンツ３に逢着又は接着されて強固に固定されているので、十分耐えることができる。また、パンツ３も、たとえばゴムを二重にするなどして腰にしっかりと固定されていれば、ずり落ちる心配はない。
ここで、本実施形態の尿受部１１は、７０ｍｍの幅と４００ｍｍの長さとを備えているが、必ずしもこれらの数値に限定する必要はない。
本実施形態の袋とじ部材１０は、樹脂製のフィルムを２枚貼り合わせて形成しているが、樹脂製のフィルムを筒状に成形したものを用いてもよい。
【００１２】
図７は、第２実施形態の排尿器付パンツの陰唇の当接部の一例を示す図である。
図７に示す排尿器付パンツ２は女子用のパンツ３の前面を裏側から見た概略図で、股の上に、陰唇が露出する楕円形又は矩形の穴５があり、その穴５の周囲に袋とじ部材１０の開口端を折り込み、その上に楕円形又は矩形の中央を切り抜いた形状の布又はプラスチック部材を重ね合わせて、パンツ３と逢着又は接着して接合することにより、陰唇の当接部１８が形成されている。
なお、当接部１８は、形崩れしないように縁取りしたり、丸めたりすることにより厚みのある布又はプラスチック部材が重ね合わせてあるので、排尿器付パンツ２を着用すると当接部１８が陰唇にぴったり接触し、脇から尿が漏れないように構成されている。
第２実施形態の袋とじ部材１０は、広幅な部分のみで構成されているが、第１の実施形態の袋とじ部材１０と同様に、尿受部１１を構成する広幅な部分と、尿排出路１２を構成する狭幅な部分とが連接されたものとしてもよい。
【符号の説明】
【００１３】
１，２    排尿器付パンツ
３        パンツ
４        丸穴
５        穴
１０      袋とじ部材
１１      尿受部
１２      尿排出路
１３      ドレイン
１５      挿入部
１６ａ    雄ホック  
１６ｂ    雌ホック
１７ａ    雄ファスナ  
１７ｂ    雌ファスナ
１８      当接部
【図１】
0003215964.tif 000003
【図２】
0003215964.tif 000004
【図３】
0003215964.tif 000005
【図４】
0003215964.tif 000006
【図５】
0003215964.tif 000007
【図６】
0003215964.tif 000008
【図７】
0003215964.tif 000009